(57)【要約】【課題】異なる放送種別で受信される同じ音声放送の再生音量を高い精度で均一化することのできる放送受信装置を提供すること。【解決手段】アナログチューナ１ａによる音声放送の受信時間と，前記アナログチューナ１ａよりも遅延して前記音声放送を受信するデジタルチューナ１ｂによる前記音声放送の受信時間との時間差に基づいて，前記アナログチューナ１ａによる前記音声放送の出力を遅延させる遅延出力回路２２を備えてなり，前記遅延出力回路２２によって遅延されて出力された前記音声放送の音量と前記デジタルチューナ１ｂから出力された前記音声放送の音量との音量差を検出し，該検出された音量差に基づいて前記アナログチューナ１ａ及び前記デジタルチューナ１ｂから出力される前記音声放送の出力音量を均一化するように構成される。【選択図】図２
2007194970.tif 000002
【特許請求の範囲】
【請求項１】
第一の放送種別で音声放送を受信して出力する第一の音声放送受信手段と，
前記第一の放送種別よりも受信時間が遅延する第二の放送種別で前記音声放送を受信して出力する第二の音声放送受信手段と，
前記第一の音声放送受信手段による前記音声放送の受信時間と前記第二の音声放送受信手段による前記音声放送の受信時間との時間差に基づいて，前記第一の音声放送受信手段による前記音声放送の出力を遅延させる遅延出力手段と，
前記遅延出力手段により遅延されて出力された前記音声放送の音量と前記第二の音声放送受信手段から出力された前記音声放送の音量との音量差を検出する音量差検出手段と，
前記音量差検出手段により検出された音量差に基づいて，前記第一の音声放送受信手段及び前記第二の音声放送受信手段から出力される前記音声放送の出力音量を均一化する音量均一化手段と，
を備えてなることを特徴とする放送受信装置。
【請求項２】
前記音量均一化手段が，前記音量差検出手段により検出された音量差に基づいて，前記第一の音声放送受信手段及び／又は前記第二の音声放送受信手段から出力される前記音声放送の入出力倍率を調整して出力するものである請求項１に記載の放送受信装置。
【請求項３】
前記第一の放送種別がアナログテレビジョン放送であって，前記第二の放送種別がデジタルテレビジョン放送（衛星デジタルテレビジョン放送含む）である請求項１又は２のいずれかに記載の放送受信装置。
【請求項４】
前記第一の音声放送受信手段から出力される前記音声放送を示すアナログ信号を，前記デジタルテレビジョン放送（衛星デジタルテレビジョン放送含む）のデジタル信号の受信に用いられるクロック信号に従ってデジタル信号に変換するアナログ／デジタル変換手段を更に備えてなる請求項３に記載の放送受信装置。
【請求項５】
前記第一の放送種別が地上波デジタルテレビジョン放送であって，前記第二の放送種別が衛星デジタルテレビジョン放送である請求項１又は２のいずれかに記載の放送受信装置。
【請求項６】
前記第一の放送種別が衛星アナログテレビジョン放送であって，前記第二の放送種別が衛星デジタルテレビジョン放送である請求項１又は２のいずれかに記載の放送受信装置。
【請求項７】
前記第一の放送種別がアナログラジオ放送であって，前記第二の放送種別がデジタルラジオ放送である請求項１又は２のいずれかに記載の放送受信装置。
【請求項８】
前記第一の音声放送受信手段による前記音声放送の受信時間と前記第二の音声放送受信手段による前記音声放送の受信時間との時間差を設定する時間差設定手段を更に備えてなる請求項１〜７のいずれかに記載の放送受信装置。
【請求項９】
前記時間差設定手段が，前記第一の音声放送受信手段で受信された前記音声放送と前記第二の音声放送受信手段で受信された前記音声放送とを比較して出力音量差を検出する出力音量差検出手段を含んでなる請求項８に記載の放送受信装置。
【請求項１０】
前記音量差検出手段が，
前記遅延出力手段により遅延されて出力された前記音声放送のピークレベルを検出する第一のピークレベル検出手段と，前記第二の音声放送受信手段から出力された前記音声放送のピークレベルを検出する第二のピークレベル検出手段と，を備えてなり，
前記第一のピークレベル検出手段による検出結果及び前記第二のピークレベル検出手段による検出結果に基づいて音量差を検出するものである請求項１〜９のいずれかに記載の放送受信装置。
【請求項１１】
前記音量差検出手段が，
前記第一のピークレベル検出手段により検出されたピークレベルの平均値を算出する第一の平均値算出手段と，前記第二のピークレベル検出手段により検出されたピークレベルの平均値を算出する第二の平均値算出手段を備えてなり，
前記第一の平均値算出手段により検出された平均値と前記第二の平均値算出手段により検出された平均値との音量差を検出するものである請求項１０に記載の放送受信装置。
【請求項１２】
前記音量差検出手段が，前記第一の平均値算出手段及び前記第二の平均値算出手段による平均値の算出対象期間を定期的に変更する算出対象期間変更手段を備えてなる請求項１１に記載の放送受信装置。
【発明の詳細な説明】
【技術分野】
【０００１】
本発明は，二つの異なる放送種別で同じ音声放送を受信するテレビジョン受像機などの放送受信装置に関し，特に，前記放送種別各々で受信された音声放送の再生音量を均一化するための技術に関するものである。
【背景技術】
【０００２】
近年，映像や音声などがデジタル信号で表現されるデジタルテレビジョン放送（以下「デジタル放送」という）を受信して再生するデジタルテレビジョン受像機（以下「デジタルテレビ」という）が普及しつつある。また，前記デジタルテレビは，デジタル放送だけではなく，前記デジタル放送と同じ内容の映像や音声などがアナログ信号で表現されたアナログテレビジョン放送（以下「アナログ放送」という）も受信することができるように構成されることがある（例えば，特許文献１参照）。
ところで，デジタル放送で受信された音声信号とアナログ放送で受信された音声信号とでは，その放送種別の違いから再生音量が異なることがわかっている。そのため，前記デジタルテレビでは，デジタル放送とアナログ放送とを切り替える際にユーザに違和感を与えるという問題が生じる。したがって，例えばユーザには，デジタル放送とアナログ放送とを切り替える度に再生音量を所望の音量に調節するという手間がかかる。そこで，デジタル放送で受信された音声信号とアナログ放送で受信された音声信号とを比較して，同じ再生音量となるように補正することが考えられる。
【特許文献１】特開平１０−１９０４９９号公報
【発明の開示】
【発明が解決しようとする課題】
【０００３】
しかしながら，デジタル放送とアナログ放送とでは，その放送種別の違いから受信時間が異なることがわかっている。具体的には，デジタル放送がアナログ放送よりも遅れて受信される。そのため，デジタル放送で受信された音声信号とアナログ放送で受信された音声信号とをそのまま比較するだけでは，放送内容の異なる時点で音声信号を比較することになり，再生音量を高い精度で均一化することができないという問題が生じる。
従って，本発明は上記事情に鑑みてなされたものであり，その目的とするところは，異なる放送種別で受信される同じ音声放送の再生音量を高い精度で均一化することのできる放送受信装置を提供することにある。
【課題を解決するための手段】
【０００４】
上記目的を達成するために本発明は，第一の放送種別で音声放送を受信して出力する第一の音声放送受信手段と，前記第一の放送種別よりも受信時間が遅延する第二の放送種別で前記音声放送を受信して出力する第二の音声放送受信手段とを備えてなる放送受信装置に適用されるものであって，前記第一の音声放送受信手段による前記音声放送の受信時間と前記第二の音声放送受信手段による前記音声放送の受信時間との時間差に基づいて，前記第一の音声放送受信手段による前記音声放送の出力を遅延させる遅延出力手段を備えてなり，前記遅延出力手段によって遅延されて出力された前記音声放送の音量と前記第二の音声放送受信手段から出力された前記音声放送の音量との音量差を検出し，該検出された音量差に基づいて前記第一の音声放送受信手段及び前記第二の音声放送受信手段から出力される前記音声放送の出力音量を均一化することを特徴とする放送受信装置として構成される。
具体的には，前記遅延出力手段によって遅延されて出力された前記音声放送の音量と前記第二の音声放送受信手段から出力された前記音声放送の音量との音量差に基づいて，前記第一の音声放送受信手段や前記第二の音声放送受信手段から出力される前記音声放送の入出力倍率（ゲイン）を調整して出力することにより，該音声放送の出力音量を均一化することが可能である。
本発明によれば，前記第一の放送種別及び前記第二の放送種別のいずれで受信した前記音声放送も同じ出力音量で再生することが可能となる。これにより，前記第一の放送種別及び前記第二の放送種別が切り替えられてもユーザに違和感を与えることがない。したがって，ユーザは，前記第一の放送種別及び前記第二の放送種別を切り替える度に再生音量を調節することなく，いずれの場合であっても同等の音量で前記音声放送を聞くことができる。
【０００５】
例えば，本発明は，前記第一の放送種別がアナログテレビジョン放送であって，前記第二の放送種別がデジタルテレビジョン放送（衛星デジタルテレビジョン放送含む）である放送受信装置に適用される。なお，前記デジタルテレビジョン放送とは，地上波デジタルテレビジョン放送や衛星デジタルテレビジョン放送を含む概念である。このとき，前記第一の音声放送受信手段から出力される前記音声放送を示すアナログ信号を，前記デジタルテレビジョン放送（衛星デジタルテレビジョン放送含む）のデジタル信号の受信に用いられるクロック信号に従ってデジタル信号に変換すれば，前記第一の音声放送受信手段の出力音声と前記第二の音声放送受信手段の出力音声との間の位相差をなくすことができる。
また，本発明は，前記第一の放送種別が地上波デジタルテレビジョン放送であって，前記第二の放送種別が衛星デジタルテレビジョン放送である場合や，前記第一の放送種別が衛星アナログテレビジョン放送であって，前記第二の放送種別が衛星デジタルテレビジョン放送である場合，前記第一の放送種別がアナログラジオ放送であって，前記第二の放送種別がデジタルラジオ放送である場合などにも適用可能である。
【０００６】
さらに，前記第一の音声放送受信手段による前記音声放送の受信時間と前記第二の音声放送受信手段による前記音声放送の受信時間との時間差を設定する時間差設定手段を備えることが望ましい。これにより，例えば地域や放送局の種別などによって前記時間差が異なる場合など，状況に応じて前記時間差を変更することができる。
このとき，前記時間差設定手段は，前記第一の音声放送受信手段で受信された前記音声放送と前記第二の音声放送受信手段で受信された前記音声放送とを比較して出力音量差を検出することのできる構成が望ましい。これにより，前記出力音量差に基づいて，前記第一の音声放送の受信時間と前記第二の音声放送の受信時間との時間差を導出することが可能である。前記時間差は，例えば，前記第一の音声放送受信手段で受信された前記音声放送と前記第二の音声放送受信手段で受信された前記音声放送との信号波形を比較することで検出することが可能である。これにより，例えば地域や放送局の種別などの状況に応じて前記時間差を自動的に設定することが可能となる。
【０００７】
また，前記遅延出力手段により遅延されて出力された前記音声放送のピークレベルを検出する第一のピークレベル検出手段と，前記第二の音声放送受信手段から出力された前記音声放送のピークレベルを検出する第二のピークレベル検出手段と，を備えてなる構成が考えられる。この場合，前記第一のピークレベル検出手段による検出結果及び前記第二のピークレベル検出手段による検出結果に基づいて，前記遅延出力手段により遅延されて出力された前記音声放送の音量と前記第二の音声放送受信手段から出力された前記音声放送の音量との音量差を検出すればよい。
このとき，前記第一のピークレベル検出手段により検出されたピークレベルの平均値を算出する第一の平均値算出手段と，前記第二のピークレベル検出手段により検出されたピークレベルの平均値を算出する第二の平均値算出手段を設けておき，前記第一の平均値算出手段により検出された平均値と前記第二の平均値算出手段により検出された平均値との音量差を検出してもよい。
また，前記第一の平均値算出手段及び前記第二の平均値算出手段による平均値の算出対象期間を定期的に変更する算出対象期間変更手段を備えてなることが望ましい。これにより，前記第一のピークレベル検出手段及び前記第二のピークレベル検出手段による検出誤差を定期的に消去することができるため，前記第一の平均値算出手段及び前記第二の平均値算出手段における平均値算出の信頼性が高まる。
【発明の効果】
【０００８】
本発明によれば，前記第一の放送種別及び前記第二の放送種別のいずれで受信した前記音声放送も同じ出力音量で再生することが可能となる。これにより，前記第一の放送種別及び前記第二の放送種別が切り替えられてもユーザに違和感を与えることがない。したがって，ユーザは，前記第一の放送種別及び前記第二の放送種別を切り替える度に再生音量を調節することなく，いずれの場合であっても同等の音量で前記音声放送を聞くことができる。
【発明を実施するための最良の形態】
【０００９】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係るテレビジョン受像機Ｘの概略構成図，図２は前記テレビジョン受像機Ｘに設けられた音量調整回路２の概略構成図である。
まず，図１を用いて本発明の実施の形態に係るテレビジョン受像機Ｘの概略構成について説明する。
図１に示すように，テレビジョン受像機Ｘは，アナログチューナ１ａ（第一の音声放送受信手段の一例）及びデジタルチューナ１ｂ（第二の音声放送受信手段の一例）と，音量調整回路２と，映像切替回路３と，映像処理回路４と，ＯＳＤ処理回路５と，モニタ画面６と，リモコン７と，リモコンインターフェース（Ｉ／Ｆ）回路８と，音声切替回路９と，スピーカー１０と，制御回路１１とを備えて概略構成されている。なお，前記テレビジョン受像機Ｘは，図１に示す他に，通常のテレビジョン受像機が備える他の構成要素も備えるが，ここでは説明を省略する。
前記制御回路１１は，演算手段であるＭＰＵ１１ａ，そのＭＰＵ１１ａによって実行される制御プログラムが予め格納される記憶手段であるＲＯＭ１１ｂ（ＥＰＲＯＭ），前記ＭＰＵ１１ａが実行する処理において各種の情報が記憶されるＲＡＭ１１ｃ（ＥＥＰＲＯＭ）等を備え，当該テレビジョン受像機Ｘ全体を制御するものである。
【００１０】
前記アナログチューナ１ａは地上波アナログテレビジョン放送（第一の放送種別の一例，以下「アナログ放送」という）を受信するものであって，前記デジタルチューナ１ｂは前記地上波アナログテレビジョン放送よりも遅延して受信される地上波デジタルテレビジョン放送（第二の放送種別の一例，以下「デジタル放送」という）を受信するものである。なお，各放送信号には，複数チャンネル分の映像信号及びその映像と同期した音声信号が重畳されている。
前記アナログチューナ１ａ及び前記デジタルチューナ１ｂ各々では，受信した各放送信号から，前記制御回路１１により指示される放送チャンネルの信号が抽出（選局）されるとともに，その抽出信号の検波によって映像信号及び音声信号が取り出され，その映像信号及び音声信号の各々が前記映像切替回路３及び前記音量調整回路２各々へ伝送される。
【００１１】
前記映像切替回路３は，前記アナログチューナ１ａ及び前記デジタルチューナ１ｂ各々から入力された映像信号のうち，任意の１つの映像信号を前記制御回路１１からの指示に従って選択して前記映像処理回路４へ出力するものである。
前記映像処理回路４は，前記映像切替回路３から出力された映像信号に対して各種信号処理を行うものである。例えば，映像信号から水平及び垂直同期信号の分離，その同期信号に位相同期したクロック信号の生成，映像信号からの輝度信号及び色信号の分離，所定の画質改善処理等を行い，処理後の映像信号を前記ＯＳＤ処理回路５に出力する。
前記ＯＳＤ処理回路５は，前記映像処理回路４から出力された映像信号を前記モニタ画面６に出力することにより，前記映像処理回路４による処理後の映像信号をそのまま前記モニタ画面６に表示させるか，その映像信号に前記制御回路１１から指示された映像をスーパーインポーズにより重ねた（合成した）映像信号（以下，ＯＳＤ映像信号という）を生成し，そのＯＳＤ映像信号を前記モニタ画面６に出力して表示させるかを切り替えるものである。
前記モニタ画面６は，例えば，液晶パネル及びその周辺機器等からなる表示手段であり，前記ＯＳＤ処理回路５から出力される映像信号或いはＯＳＤ映像信号に基づいて映像を表示するものである。
【００１２】
前記リモコン７は，当該テレビジョン受像機Ｘの操作用のリモート操作器であって，前記スピーカー１０から出力される音声の出力音量を調整するための入力操作が行われる音量アップボタン及び音量ダウンボタンや，チャンネルを選択するためのチャンネル選択ボタンが設けられている。
前記リモコンインターフェース回路８は，前記リモコン７から赤外線伝送等の無線伝送によって各操作ボタンに対応する入力操作情報を取得し，その入力操作情報を前記制御回路１１に出力するものである。例えば，当該テレビジョン受像機Ｘにおいて視聴者によって音声の出力音量の調整が手動で行われる場合，前記リモコン７の音量アップボタン或いは音量ダウンボタンに対する視聴者の入力操作に従って，前記制御回路１１から前記スピーカー１０に対して出力音量の調整指令が出力され，その指令に従って前記スピーカー１０で出力される音声の出力音量が調整される。同様に，チャンネル選択が行われる場合には，前記リモコン７のチャンネル選択ボタンに対する入力操作の情報が，前記リモコンインターフェース回路８を通じて前記制御回路１１に入力され，その入力操作情報に従って，前記制御回路１１により，前記アナログチューナ１ａ及び前記デジタルチューナ１ｂのいずれかに対して選局するチャンネルが指定されるとともに，そのチャンネルの映像が前記モニタ画面６に表示されるように前記映像切替回路３及び前記ＯＳＤ処理回路５が制御される。
【００１３】
前記音量調整回路２は，前記アナログチューナ１ａ及び前記デジタルチューナ１ｂ各々から入力される同一内容のテレビジョン放送に含まれる音声信号を，出力音量が同一となるように調整した後，前記音声切替回路９に出力するものである。前記音声切替回路９は，前記音量調整回路２から入力された二つの音声信号のうちの任意の１つの音声信号を，前記制御回路１１からの指示に従って前記スピーカー１０に出力する。前記スピーカー１０は，入力された音声信号に基づいて音声を出力（再生）するものであって，前記音声切替回路９から出力された音声信号は，該スピーカー１０によって出力（再生）される。
【００１４】
ここで，図２を用いて，前記音量調整回路２について詳説する。以下では，前記アナログチューナ１ａ及び前記デジタルチューナ１ｂが前記制御回路１１からの指令により，同一内容の音声放送を含むテレビジョン放送を出力していると仮定して説明する。
図２に示すように，前記音量調整回路２は，アナログ／デジタル変換回路（Ａ／Ｄ変換回路）２１，遅延出力回路２２（遅延出力手段の一例），入出力倍率調整回路２３，ピークレベル検出回路２４（第一のピークレベル検出手段の一例），入出力倍率調整回路３１，ピークレベル検出回路３２（第二のピークレベル検出手段の一例），ピークレベル比較回路４１（音量差検出手段の一例）及びリセット回路４２（算出対象期間変更手段の一例）などを備えて構成されている。なお，前記音量調整回路２で行われる各処理動作は，前記制御回路１１によって所定の制御プログラムが実行されることにより制御される。また，本実施の形態では，前記各回路によって以下で説明する各種の処理が実行される場合を説明するが，該処理のいずれか一又は複数が前記制御回路１１によって実行されることも他の実施例として考えられる。
【００１５】
前記デジタルチューナ１ｂから出力された音声信号は，そのまま前記入出力倍率調整回路３１及び前記ピークレベル検出回路３２に入力される。
前記入出力倍率調整回路３１は，前記デジタルチューナ１ｂから出力された音声信号の入出力倍率を変更して該音声信号を増幅或いは減衰させることにより，前記音声信号の出力音量を調整するものである。前述したように，前記入出力倍率調整回路３１で出力音量が調整された音声信号は，前記音声切替回路９に出力される。
また，前記ピークレベル検出回路３２は，前記デジタルチューナ１ｂから出力された音声信号の所定時間毎のピークレベルを検出するものである。前記ピークレベル検出回路３２で検出されたピークレベルは，前記ピークレベル比較回路４１に出力される。
【００１６】
一方，前記アナログチューナ１ａから出力された音声信号は，前記Ａ／Ｄ変換回路２１及び前記遅延出力回路２２を介して，前記入出力倍率調整回路２３及び前記ピークレベル検出回路２４に入力される。
前記Ａ／Ｄ変換回路２１は，前記アナログチューナ１ａから入力されたアナログの音声信号をデジタル信号に変換して前記遅延出力回路２２に出力するものである。このＡ／Ｄ変換回路２１におけるＡ／Ｄ変換は，前記デジタルチューナ１ｂにおける信号受信などで用いられるシステムクロック信号に従って実行される。即ち，前記デジタルチューナ１ｂ及び前記Ａ／Ｄ変換回路は同期して処理を実行する。したがって，前記デジタルチューナ１ｂから出力される音声信号と前記Ａ／Ｄ変換回路２１から出力される音声信号との間には位相差が生じない。
【００１７】
前記遅延出力回路２２は，前記Ａ／Ｄ変換回路２１から出力された音声信号を，所定時間遅延させて前記入出力倍率調整回路２３及び前記ピークレベル検出回路２４に出力するものである。ここで，前記遅延出力回路２２において音声信号を遅延させる時間は，例えば前記システムクロック信号の立ち上がり回数のカウント値で設定され，予め前記遅延出力回路２２内部或いは前記制御回路１１のＲＯＭ１１ｂやＲＡＭ１１ｃなどに記憶されている。この遅延時間は，予め前記アナログチューナ１ａによるアナログ放送の受信時間と前記デジタルチューナ１ｂによるデジタル放送の受信時間との時間差に基づいて設定される。例えば，前記遅延時間は，前記時間差と同じ時間に設定される。また，前記遅延時間は，前記アナログチューナ１ａ及び前記デジタルチューナ１ｂで受信される同一内容のテレビジョン放送のチャンル毎に個別に設定されていてもよい。これにより，チャンネル毎に前記アナログチューナ１ａ及び前記デジタルチューナ１ｂによる受信時間が異なる場合にも適用することができる。
なお，前記遅延時間は，前記リモコン７の操作に応じて前記制御回路１１によって設定され，かかる設定処理を実行するときの前記制御回路１１及び前記リモコン７が時間差設定手段に相当する。このように前記リモコン７の操作によって前記遅延時間を変更することができるため，前記テレビジョン受像機Ｘの設置地域や設置環境などの状況に応じて最適な前記遅延時間を設定することができる。なお，前記遅延出力回路２２は，例えばフリップフロップ回路を複数組み合わせて構成してもよい。
さらに，前記アナログチューナ１ａで受信された音声信号（放送）と前記デジタルチューナ１ｂで受信された音声信号（放送）とを比較して出力音量差を検出し，該出力音量差に基づいてこれらの音声信号（放送）の受信時間の時間差を導出して，該時間差を前記遅延出力回路２２による遅延時間として自動的に設定することも他の実施例として考えられる。このとき，前記出力音量差の検出処理は前記制御回路１１によって実行され，かかる検出処理を実行するときの前記制御回路１１が出力音量差検出手段に相当する。また，前記時間差の導出処理及び前記遅延時間の自動設定処理も前記制御回路１１によって実行され，これらの処理を実行するときの前記制御回路１１は時間差設定手段に相当する。例えば，前記アナログチューナ１ａから出力された音声や映像の信号波形と，前記デジタルチューナ１ｂから出力された音声や映像の信号波形とを比較して相互の受信時間の時間差を導出することが考えられる。これにより，前記テレビジョン受像機Ｘの設置地域や設置環境，放送局の種別などの状況に応じて自動的に最適な前記遅延時間が自動的に設定されるため好適である。
【００１８】
前記入出力倍率調整回路２３は，前記アナログチューナ１ａから前記Ａ／Ｄ変換回路２１及び前記遅延出力回路２２を介して出力された音声信号の入出力倍率を変更して該音声信号を増幅或いは減衰させることにより，前記音声信号の出力音量を調整するものである。前記入出力倍率調整回路２３で出力音量が調整された音声信号は，前記音声切替回路９に出力される。なお，前記アナログチューナ１ａで受信されるアナログ放送のうち音声信号だけを遅延させると，前記テレビジョン受像機Ｘにおいて再生される映像と音声にずれが生じるため，前記アナログチューナ１ａで受信された映像信号は，不図示の遅延出力回路によって前記遅延出力回路２２による遅延時間と同じ時間だけ遅延された後，前記映像切替回路３に入力される。
【００１９】
また，前記ピークレベル検出回路２４は，前記遅延出力回路２２から出力された音声信号の所定時間毎のピークレベルを検出するものである。前記ピークレベル検出回路２４で検出されたピークレベルは，前記ピークレベル比較回路４１に出力される。
このように，前記音量調整回路２では，前記アナログチューナ１ａから出力された音声信号が前記遅延出力回路２２によって遅延されることにより，該音声信号と前記デジタルチューナ１ｂから出力された音声信号との時間差が解消される。したがって，前記ピークレベル検出回路２４及び前記ピークレベル検出回路３２には，アナログ放送及びデジタル放送で受信された同一内容のテレビジョン放送における同一時点の音声信号が入力されることになる。
【００２０】
そして，前記ピークレベル比較回路４１では，予め定められた所定の期間内に前記ピークレベル検出回路２４及び前記ピークレベル検出回路３２から入力された二つのピークレベル各々の平均値が算出される。ここに，前記ピークレベル検出回路２４から入力されたピークレベルの平均値を算出するときの前記ピークレベル比較回路４１が第一の平均値算出手段，前記ピークレベル検出回路３２から入力されたピークレベルの平均値を算出するときの前記ピークレベル比較回路４１が第二の平均値算出手段に相当する。
ここで算出される平均値は，前述したように予め定められた所定の期間内に入力されたピークレベルを算出対象としている。但し，前記ピークレベル検出回路２４や前記ピークレベル検出回路３２によるピークレベルの検出に誤差が生じるおそれを鑑みれば，該平均値の算出対象は定期的にリセットすることが望ましい。
【００２１】
そのため，前記音量調整回路２には，前記ピークレベル比較回路４１で算出される平均値を定期的にリセットするリセット回路４２が設けられている。前記リセット回路４２では，所定の時間が経過する毎に，例えば前記デジタルチューナ１ｂで使用される映像の同期信号（垂直／水平）やシステムクロック信号が所定値までカウントされる毎に，前記ピークレベル比較回路４１にリセット信号が送信される。これにより，前記ピークレベル比較回路４１では，前記平均値がリセットされる。
したがって，前記ピークレベル検出回路２４や前記ピークレベル検出回路３２によるピークレベルの検出に一時的な誤差が生じても，その誤差は前記所定の時間の経過後に前記平均値の算出対象から除外されるため，前記平均値の信頼性が高まる。なお，前記リセット回路４２による処理は平均値のリセットに限られるものではなく，平均値の算出対象を直近の所定期間内に入力されたものに随時変更するもの等，平均値の算出対象を定期的に変更するものであればよい。
【００２２】
次に，前記ピークレベル比較回路４１では，前記二つのピークレベル各々の平均値が比較演算されてその音量差が検出される。ここに，かかる検出処理を行うときの前記ピークレベル比較回路４１が音量差検出手段に相当する。
その後，前記ピークレベル比較回路４１では，前記ピークレベルの差に基づいて，前記アナログチューナ１ａで受信された音声信号の出力音量が，前記デジタルチューナ１ｂで受信された音声信号の出力音量と同一となる入出力倍率が算出される。ここで算出された入出力倍率は，前記入出力倍率調整回路２３に入力される。これにより，前記入出力倍率調整回路２３では，前記アナログチューナ１ａから前記Ａ／Ｄ変換回路２１及び前記遅延出力回路２２を介して入力された音声信号が，前記ピークレベル比較回路４１で算出された入出力倍率で増幅或いは減衰され，前記デジタルチューナ１ｂで受信された音声信号の出力音量と同一となるように調整された後，前記音声切替回路９に出力される。即ち，前記アナログチューナ１ａで受信された音声信号の出力音量と，前記デジタルチューナ１ｂで受信された音声信号の出力音量とは，均一化されてから前記音声切替回路９に出力される。ここに，前記入出力倍率調整回路２３の入出力倍率を変更して出力音量を均一化させるときの前記ピークレベル比較回路４１が，音量均一化手段に相当する。
なお，前記出力音量を均一化するための手法としては，前記のように，前記デジタルチューナ１ｂで受信された音声信号の出力音量を基準に，前記入出力倍率調整回路２３における入出力倍率を変更することに限られるものではない。例えば，前記ピークレベル比較回路４１によって，前記アナログチューナ１ａで受信された音声信号の出力音量を基準に，前記入出力倍率調整回路３１における入出力倍率が変更されることも他の実施例として考えられる。もちろん，前記ピークレベル比較回路４１によって，前記入出力倍率調整回路２３及び３１における入出力倍率が共に変更されることにより出力音量が均一化されてもかまわない。
【００２３】
このように，前記音量調整回路２では，前記ピークレベル比較回路４１によって，同一内容の音声放送における同一時点で検出されたピークレベルが比較され，その比較結果に基づいて前記アナログチューナ１ａから出力される音声信号や前記デジタルチューナ１ｂから出力される音声信号の出力音量が調整されるため，アナログ放送及びデジタル放送の出力音量を高い精度で均一化することができる。
なお，前記アナログチューナ１ａから出力される音声信号の出力音量と，前記デジタルチューナ１ｂから出力される音声信号の出力音量とを比較する手法としては，前記したような各々の出力音量のピークレベルの平均値の比較に限られず，出力音量のピークレベル自体を比較することなども考えられる。また，各々の音声信号の波形を比較してもよい。
【００２４】
また，本実施の形態では，異なる放送種別の一例として地上波アナログテレビジョン放送及び地上波デジタルテレビジョン放送を例に挙げて説明したが，これに限られるものではなく，地上波アナログテレビジョン放送，地上波デジタルテレビジョン放送，衛星アナログテレビジョン放送，衛星デジタルテレビジョン放送，アナログラジオ放送及びデジタルラジオ放送のうちの少なくとも二つ以上の放送種別で同一の音声放送を受信する場合に適用することができる。
具体的には，地上波アナログテレビジョン放送（第一の放送種別の一例）と衛星アナログテレビジョン放送（第二の放送種別の一例），地上波アナログテレビジョン放送（第一の放送種別の一例）と衛星デジタルテレビジョン放送（第二の放送種別の一例），地上波デジタルテレビジョン放送（第一の放送種別の一例）と衛星アナログテレビジョン放送（第二の放送種別の一例），地上波デジタルテレビジョン放送（第一の放送種別の一例）と衛星デジタルテレビジョン放送（第二の放送種別の一例），衛星アナログテレビジョン放送（第一の放送種別の一例）と衛星デジタルテレビジョン放送（第二の放送種別の一例），アナログラジオ放送（第一の放送種別の一例）とデジタルラジオ放送（第二の放送種別の一例）などの組み合わせが考えられる。
【図面の簡単な説明】
【００２５】
【図１】本発明の実施の形態に係るテレビジョン受像機Ｘの概略構成図。
【図２】本発明の実施の形態に係るテレビジョン受像機Ｘに設けられた音量調整回路２の概略構成図。
【符号の説明】
【００２６】
１ａ…アナログチューナ（第一の音声放送受信手段の一例）
１ｂ…デジタルチューナ（第二の音声放送受信手段の一例）
２…音量調整回路
３…映像切替回路
４…映像処理回路
５…ＯＳＤ処理回路
６…モニタ画面
７…リモコン
８…リモコンインターフェース回路
９…音声切替回路
１０…スピーカー
１１…制御回路
２１…Ａ／Ｄ変換回路（アナログ／デジタル変換手段の一例）
２２…遅延出力回路（遅延出力手段の一例）
２３，３１…入出力倍率調整回路
２４…ピークレベル検出回路（第一のピークレベル検出手段の一例）
３２…ピークレベル検出回路（第二のピークレベル検出手段の一例）
４１…ピークレベル比較回路
４２…リセット回路（算出対象期間変更手段の一例）
【図１】
2007194970.tif 000003
【図２】
2007194970.tif 000004